(57)【要約】      （修正有）【課題】香り発生手段を備えた空気清浄機において、香り拡散性を更に向上させる。【解決手段】吹出口２と吸込口を有する本体ケースと、この吸込口に設けた空気清浄手段である清浄フィルタと、この清浄フィルタと吹出口２との間に備えた送風手段と、本体ケースの上部に設けた香り発生手段２７とからなり、香り発生手段２７は、本体ケース１に設けた香りの発生体を収納できる収納箱２８と、この収納箱２８から吹出口２へ伸びると共に、収納箱２８と吹出口２とを連通する連通路２９と、吹出口２に回動自在に設けた風向変更板３０とからなり、この風向変更板３０を回動させることにより連通路の先端の開口部３１での風速を変化させ、香り発生手段２７の収納箱２８内の香りを吹出口２へ誘引し、この香りを吹出口２からの送風によって室内へ拡散させることができる。【選択図】図８
2015021702.tif 000002
【特許請求の範囲】
【請求項１】
吹出口と吸込口を有する本体ケースと、この吸込口に設けた空気清浄手段と、この空気清浄手段と前記吹出口との間に備えた送風手段と、前記本体ケースの上部に設けた香り発生手段とからなり、前記香り発生手段は、前記本体ケースに設けた香りの発生体を収納できる収納箱と、この収納箱から前記吹出口へ伸びると共に、前記収納箱と前記吹出口とを連通する連通路と、前記吹出口に回動自在に設けた風向変更板とからなり、この風向変更板を回動させることにより前記連通路の先端の開口部での風速を変化させることを特徴とする空気清浄機。
【請求項２】
前記送風手段は、前記空気清浄手段と前記吹出口との間の風路に設けられたモータ部と、このモータ部のモータ軸に固定された羽根部とからなり、前記連通路の前記開口部は、前記吹出口における前記モータ軸の延長上の位置に設けたことを特徴とする請求項１記載の空気清浄機。
【請求項３】
前記風向変更板は、平板形状で、前記吹出口からの吹き出し方向と平行となると、前記連通路の前記開口部の近傍に位置することを特徴とする請求項１または２に記載の空気清浄機。
【請求項４】
前記風向変更板は、前記吹出口からの吹き出し方向と平行となると、前記連通路の前記開口部より前記収納箱側に位置すると共に、前記風向変更板の上流端部は、前記連通路の前記開口部の下流端部より下流に位置することを特徴とする請求項３に記載の空気清浄機。
【請求項５】
前記収納箱は、上面が開口した箱部と、この箱部の上面に開閉自在に設けた蓋部とからなり、前記箱部は、前記連通路と連通する第１の開口と、前記収納箱外と連通する第２の開口を備えたことを特徴とする請求項１から４のいずれかに記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、吹出口と吸込口を有する本体ケースと、この吸込口に設けた空気清浄手段と、この空気清浄手段と前記吹出口との間に備えた送風手段と、前記本体ケースの上部に設けた香り発生手段とからなり、香り発生手段は、本体ケースに設けた香りの発生体を収納できる収納箱と、この収納箱と送風手段とバイパス穴で連通し、このバイパス穴から排気空気の一部を導入できるものが知られている。（例えば、特許文献１参照）
【先行技術文献】
【特許文献】
【０００３】
【特許文献１】特開昭６０−１９７２２０号公報
【発明の概要】
【発明が解決しようとする課題】
【０００４】
上記従来例の課題は、香り発生手段からの香り拡散性の更なる向上ということである。
【０００５】
すなわち、従来例は、空気清浄機を運転させ、香り発生手段の収納箱と送風手段とバイパス穴から排気空気の一部を送風し、収納箱の隙間から、香りを室内へ分散させるものであった。しかし、排気空気の一部によって、収納箱の隙間から香りを押し出すので、室内への香りの拡散は、時間がかかるものであった。
【０００６】
そこで本発明は、香り発生手段からの香り拡散性の更なる向上を目的とする。
【課題を解決するための手段】
【０００７】
そして、この目的を達成するために、本発明は、吹出口と吸込口を有する本体ケースと、この吸込口に設けた空気清浄手段と、この空気清浄手段と前記吹出口との間に備えた送風手段と、前記本体ケースの上部に設けた香り発生手段とからなり、前記香り発生手段は、前記本体ケースに設けた香りの発生体を収納できる収納箱と、この収納箱から前記吹出口へ伸びると共に、前記収納箱と前記吹出口とを連通する連通路と、前記吹出口に回動自在に設けた風向変更板とからなり、この風向変更板を回動させることにより前記連通路の先端の開口部での風速を変化させることを特徴としたものである。
【０００８】
これにより、所期の目的を達成するものである。
【発明の効果】
【０００９】
以上のように本発明は、吹出口と吸込口を有する本体ケースと、この吸込口に設けた空気清浄手段と、この空気清浄手段と前記吹出口との間に備えた送風手段と、前記本体ケースの上部に設けた香り発生手段とからなり、前記香り発生手段は、前記本体ケースに設けた香りの発生体を収納できる収納箱と、この収納箱から前記吹出口へ伸びると共に、前記収納箱と前記吹出口とを連通する連通路と、前記吹出口に回動自在に設けた風向変更板とからなり、この風向変更板を回動させることにより前記連通路の先端の開口部での風速を変化させることを特徴としたものである。
【００１０】
すなわち、風向変更板を回動させることにより連通路の先端の開口部での吹出口から送風される風速を変化させ、収納箱内の香りを吹出口へ誘引し、この香りを吹出口からの送風によって室内へ拡散させることができる。結果として、香香り発生手段からの香り拡散性の更なる向上ができる。
【図面の簡単な説明】
【００１１】
【図１】本発明の実施の形態１の空気清浄機の外形を示す斜視図
【図２】同空気清浄機の正面から見た清浄風路全閉時の断面図
【図３】同空気清浄機の風量割合調節手段の斜視図
【図４】同空気清浄機の側面から見た清浄風路全開時の垂直断面図
【図５】同空気清浄機の上から見た清浄風路全開時の水平断面図
【図６】同空気清浄機の側面から見た清浄風路全閉時の垂直断面図
【図７】同空気清浄機の上から見た清浄風路全閉時の水平断面図
【図８】同空気清浄機の香り発生手段の垂直断面図
【図９】同空気清浄機の収納箱の斜視図
【発明を実施するための形態】
【００１２】
以下、本発明の実施の形態について図面を参照しながら説明する。
【００１３】
（実施の形態１）
図１から図３に示すように、本実施形態の空気清浄機は、吹出口２と吸込口３を有する本体ケース１と、この本体ケース１内に、空気清浄手段の清浄フィルタ４と、加湿手段５と、送風手段６と、風量割合調節手段７と、香り発生手段とを備えている。
【００１４】
本体ケース１は、縦長箱形状で、天面には、吹出口２を設け、左右両側面の下部には、吸込口３を備えている。吸込口３は、縦長四角形状で、上下に仕切り板１０によって仕切られ、第１の吸込口８と第２の吸込口９とに分かれている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。
【００１５】
本体ケース１は、縦長箱形状で、天面には、吹出口２を設け、左右両側面には、吸込口３を備えている。吸込口３の内方には、第１の吸込口８と第２の吸込口９とを備えている。第１の吸込口８と第２の吸込口９とは、縦長四角形状で、上下に仕切り板１０によって仕切られている。第１の吸込口８は、第２の吸込口９の上方に設けられている。第１の吸込口８の開口面積は、第２の吸込口９の開口面積より大きい。なお、本体ケース１の少なくとも一方側の側面下部に第２の吸込口９を設け、第２の吸込口９の上方に第１の吸込口８を備えていれば良い。本体ケース１は、軸方向が天面から上方へ伸びる円筒形状の筒部２６を備え、筒部２６の本体ケース１における天面側に、吹出口２を備えたものである。
【００１６】
清浄フィルタ４は、吸込口３と、第１の吸込口８および第２の吸込口９との間に設けられている。具体的には、第１の吸込口８および第２の吸込口９の外方で、本体ケース１における左右に１枚ずつ設けられている。清浄フィルタ４は、空気中の粉塵が除去できれば良く、例えば、高性能フィルタ、中性能フィルタ、あるいは静電フィルタなどがある。
【００１７】
加湿手段５は、第２の吸込口９の間に設けられている。加湿手段５は、椀形状の貯水容器２０と、この貯水容器２０の水に下端の開口が浸漬した筒形状の加湿フィルター２１とからなる。加湿フィルター２１は、吸い上げ式で、貯水容器２０の水を吸い上げられるものであれば良い。
【００１８】
送風手段６は、第１の吸込口８より上方で、加湿手段５と吹出口２との間に設けている。送風手段６としては、ターボファン、軸流送風機等などがある。送風手段６は、モータ部２３と、羽根部２４とからなる。モータ部２３は、モータ部２３の下面から鉛直下方に伸びたモータ軸２５を備えている。このモータ軸２５に羽根部２４が固定されている。羽根部２４が、モータ部２３によって回転すると、羽根部２４の下方の空気を、羽根部２４の上方へ送風できる。モータ部２３によって、羽根部２４が回転すると、羽根部２４の下方の空気を、羽根部２４の上方へ螺旋状に送風される。この螺旋状の送風が、円筒形状の筒部２６の内面に沿って流れる。
【００１９】
送風手段６によって送風される風路は、図４から図７に示すように、清浄風路１１と加湿清浄風路１２とがある。
【００２０】
清浄風路１１は、送風手段６によって、第１の吸込口８から吸い込まれた空気が、清浄フィルタ４、送風手段６を介して吹出口２へ送風される風路である。加湿清浄風路１２は、送風手段６によって、第２の吸込口９から吸い込まれた空気が、清浄フィルタ４、加湿手段５、送風手段６を介して吹出口２へ送風される風路である。すなわち、送風手段６によって、清浄風路１１と加湿清浄風路１２との両方の風路から送風される。
【００２１】
風量割合調節手段７は、清浄風路１１における清浄フィルタ４と送風手段６との間であると共に、加湿清浄風路１２における加湿手段５と送風手段６との間に設けている。この風量割合調節手段７は、清浄風路１１の風量と加湿清浄風路１２の風量との割合を調節できる。
【００２２】
これにより、風量割合調節手段７は、清浄風路１１の風量と加湿清浄風路１２の風量との割合を調節できるので、加湿清浄風量だけを増加させることができる。結果として、加湿効率が向上する。
【００２３】
具体的には、風量割合調節手段７は、本体ケース１内に回動自在に設けられた円筒１３と、この円筒１３の側周面と接する遮蔽部１４と、円筒を回動する円筒回転手段とからなる。
【００２４】
円筒１３は、上下方向が軸方向で側周面に少なくとも１つの側面開口１６を備えている。
【００２５】
清浄風路１１は、円筒１３の側面開口１６から上面の上面開口１７へと連通している。加湿清浄風路１２は、円筒１３の下面の下面開口１８から上面開口１７へと連通している。ここで、円筒回転手段によって、円筒１３を回動させると遮蔽部１４によって側面開口１６の開口面積が変化するものである。
【００２６】
遮蔽部１４は、本体ケース１内における、本体ケース１前面側と背面側とが、内方に突出し、先端が、円筒１３の外周の側周面に沿う形状である。
【００２７】
円筒回転手段は、円筒１３の上端側面に設けられた円環状のギア２２と、本体ケース１内に設けたステッピングモータ（図示せず）と、このステッピングモータによって回動する歯車（図示せず）とからなる。ステッピングモータによって、歯車が回動し、この歯車と噛み合っているギア２２が回動することにより、円筒１３が回動するものである。
【００２８】
以上の構成で、円筒１３が回動し、側面開口１６と遮蔽部１４とが重なると、重なった部分だけ、側面開口１６が小さくなる。これにより、風量割合調節手段７は、円筒１３を回動させ、遮蔽部１４によって側面開口１６を全開から全閉まで変化させることが出来る。すなわち、側面開口１６を全開から全閉することができるので、清浄風路１１を遮蔽し、加湿清浄風路１２のみとなり、加湿清浄風量だけを増加させることができる。
【００２９】
香り発生手段２７は、図８、図９に示すように、収納箱２８と、連通路２９と、風向変更板３０とからなる。
【００３０】
収納箱２８は、本体ケース１の上部で、吹出口２の周縁部に設けられ、上面が開閉可能な箱形状で、内部に香りの発生体を収納できる。
【００３１】
連通路２９は、収納箱の一側面から吹出口の中央へ伸びる筒形状で、収納箱と吹出口２とを連通する。
【００３２】
風向変更板３０は、平板形状で、吹出口２に俯仰方向へ回動自在に設けられている。
【００３３】
本実施形態における特徴は、この風向変更板３０を回動させることにより連通路２９の先端の開口部３１での風速を変化させる点である。
【００３４】
すなわち、風向変更板３０を回動させることにより連通路２９の先端の開口部での吹出口２から送風される風速を変化させ、収納箱２８内の香りを吹出口２へ誘引し、この香りを吹出口２からの送風によって室内へ拡散させることができる。
【００３５】
また、送風手段６は、空気清浄手段である清浄フィルタ４と吹出口２との間の風路に設けられたモータ部２３と、このモータ部２３のモータ軸２５に固定された羽根部２４とからなる。連通路２９の開口部３１は、吹出口２におけるモータ軸２５の延長上の位置に設けたものである。
【００３６】
これにより、連通路２９の開口部３１が吹出口２の中央部に位置し、風向変更板３０が吹出口２からの吹き出し方向と平行になると、風量が最大になり、風向変更板３０近傍の風速が増加し、さらに風向変更板３０の端面が連通路２９の開口部３１へ接近することで収納箱２８内の香りを吹出口２へ効率よく誘引し、この香りを吹出口２からの送風によって室内へ拡散させることができる。
【００３７】
また風向変更板３０が吹出口２からの吹き出し方向と平行でない場合、吹出口２におけるモータ軸２５の延長上は、吹出口２において最も風速が小さいので、収納箱２８内の香りを吹出口へ誘引せず、異なる用途に使用できる。
【００３８】
また、風向変更板３０は、平板形状で、吹出口２からの吹き出し方向と平行となると、連通路２９の開口部３１の近傍に位置するものである。これにより、風向変更板３０近傍の風速が増加し、収納箱２８内の香りを吹出口２へ効率よく誘引し、この香りを吹出口２からの送風によって室内へ拡散させることができる。
【００３９】
また、風向変更板３０は、吹出口２からの吹き出し方向と平行となると、連通路２９の開口部３１より収納箱側に位置すると共に、風向変更板３０の上流端部は、連通路２９の開口部の下流端部より下流に位置するものである。これにより、風向変更板３０近傍の風速が増加し、収納箱２８内の香りを吹出口２へ効率よく誘引し、この香りを吹出口２からの送風によって室内へ拡散させることができる。また、自動制御による風向変更板の動作角度の開方向のバラツキが生じた場合、圧損による誘引低下を防ぐことができる。
【００４０】
また、収納箱２８は、上面が開口した箱部３２と、この箱部３２の上面に開閉自在に設けた蓋部３３とからなる。箱部３２は、連通路２９と連通する第１の開口３４と、収納箱２８外と連通する第２の開口３５を備えたものである。これにより、第２の開口３５から吸い込まれた空気が香り発生部を介し、第１の開口３４へと送風されることで、箱部３２の送風経路が形成され、効率よく連通路２９へ送風することができる。
【産業上の利用可能性】
【００４１】
以上のように本発明は、吹出口と吸込口を有する本体ケースと、この吸込口に設けた空気清浄手段と、この空気清浄手段と前記吹出口との間に備えた送風手段と、前記本体ケースの上部に設けた香り発生手段とからなり、前記香り発生手段は、前記本体ケースに設けた香りの発生体を収納できる収納箱と、この収納箱から前記吹出口へ伸びると共に、前記収納箱と前記吹出口とを連通する連通路と、前記吹出口に回動自在に設けた風向変更板とからなり、この風向変更板を回動させることにより前記連通路の先端の開口部での風速を変化させることを特徴としたものである。
【００４２】
すなわち、風向変更板を回動させることにより連通路の先端の開口部での吹出口から送風される風速を変化させ、香り発生手段の香りを吹出口へ誘引し、この香りを吹出口からの送風によって室内へ拡散させることができる。結果として、香り発生手段からの香り拡散性の更なる向上ができ、家庭用や事務所用などの空気清浄機にも適用できる。
【符号の説明】
【００４３】
１      本体ケース
２      吹出口
３      吸込口
４      清浄フィルタ
５      加湿手段
６      送風手段
７      風量割合調節手段
８      第１の吸込口
９      第２の吸込口
１０      仕切り板
１１      清浄風路
１２      加湿清浄風路
１３      円筒
１４      遮蔽部
１６      側面開口
１７      上面開口
１８      下面開口
２０      貯水容器
２１      加湿フィルター
２２      ギア
２３      モータ部
２４      羽根部
２５      モータ軸
２６      筒部
２７      香り発生手段
２８      収納箱
２９      連通路
３０      風向変更板
３１      開口部
３２      箱部
３３      蓋部
３４      第１の開口
３５      第２の開口
【図１】
2015021702.tif 000003
【図２】
2015021702.tif 000004
【図３】
2015021702.tif 000005
【図４】
2015021702.tif 000006
【図５】
2015021702.tif 000007
【図６】
2015021702.tif 000008
【図７】
2015021702.tif 000009
【図８】
2015021702.tif 000010
【図９】
2015021702.tif 000011